(57)【要約】【課題】バッテリへの充電に起因したノイズの混入を回避することで高精度な放射線画像情報を得ると共に、放射線画像情報に影響を与えることなく、バッテリに対する充電を効率よく行なう。【解決手段】放射線画像撮影システム１０では、放射線検出器４０をバッテリ４４で駆動し、充電装置２５からバッテリ４４に充電が可能である場合に、被写体１４に対する撮影の有無、及び／又は、放射線検出器４０からの放射線画像情報の伝送の有無に基づいて、充電装置２５からバッテリ４４への充電を制御する。【選択図】図６
2010170102.tif 000002
【特許請求の範囲】
【請求項１】
外部の撮影装置から照射されて被写体を透過した放射線を検出して放射線画像情報に変換する放射線検出器と、
前記放射線検出器を駆動するバッテリと、
前記被写体に対する撮影の有無、及び／又は、前記放射線検出器からの前記放射線画像情報の伝送の有無を判定する判定手段と、
前記判定手段の判定結果に基づいて、外部の充電装置から前記バッテリへの充電を制御する充電制御部と、
を有することを特徴とする放射線検出装置。
【請求項２】
請求項１記載の装置において、
前記充電制御部は、前記被写体の撮影中と前記判定手段が判定したときに前記充電装置から前記バッテリへの充電を禁止し、及び／又は、前記放射線検出器から前記放射線画像情報が伝送中と前記判定手段が判定したときに前記充電装置から前記バッテリへの充電を制限することを特徴とする放射線検出装置。
【請求項３】
請求項２記載の装置において、
前記放射線画像情報をＡ／Ｄ変換してデジタル信号に変換するＡ／Ｄ変換器と、前記デジタル信号に変換された前記放射線画像情報を保存する画像メモリとをさらに有し、
前記判定手段は、
前記Ａ／Ｄ変換が終了したか否かを判定するＡ／Ｄ変換終了判定部と、
前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したか否かを判定する情報伝送終了判定部と、
を有し、
前記充電制御部は、
前記Ａ／Ｄ変換が終了したと前記Ａ／Ｄ変換終了判定部が判定したときに、第１の充電強度で前記バッテリを充電するように前記充電装置を制御し、
前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したと前記情報伝送終了判定部が判定したときに、前記第１の充電強度よりも高い第２の充電強度で前記バッテリを充電するように前記充電装置を制御することを特徴とする放射線検出装置。
【請求項４】
請求項３記載の装置において、
外部と信号の送受信を行う送受信手段をさらに有し、
前記充電制御部は、前記被写体に対する前記放射線の照射に同期して、前記充電装置から前記バッテリへの充電を禁止する充電禁止信号を発生し、
前記送受信手段は、前記充電禁止信号を外部に送信することを特徴とする放射線検出装置。
【請求項５】
請求項４記載の装置において、
前記バッテリに対する充電強度を前記第１の充電強度又は前記第２の充電強度に切り替える充電強度切替部をさらに有し、
前記充電制御部は、前記Ａ／Ｄ変換が終了したと前記Ａ／Ｄ変換終了判定部が判定したときに、前記充電装置から前記バッテリへの充電を許可する充電許可信号を発生し、
前記充電強度切替部は、
前記第１の充電強度での前記バッテリの充電を前記充電制御部が決定したときに、前記充電装置から前記バッテリに前記第１の充電強度で充電するための第１充電制御信号を発生し、
前記第２の充電強度での前記バッテリの充電を前記充電制御部が決定したときに、前記充電装置から前記バッテリに前記第２の充電強度で充電するための第２充電制御信号を発生し、
前記送受信手段は、前記充電許可信号及び前記第１充電制御信号、又は、前記第２充電制御信号を外部に送信することを特徴とする放射線検出装置。
【請求項６】
請求項４記載の装置において、
前記バッテリに対する充電強度を前記第１の充電強度又は前記第２の充電強度に切り替える充電強度切替部をさらに有し、
前記充電制御部は、前記Ａ／Ｄ変換が終了したと前記Ａ／Ｄ変換終了判定部が判定したときに、前記充電装置から前記バッテリへの充電を許可する充電許可信号を発生し、
前記充電強度切替部は、
前記第１の充電強度での前記バッテリの充電を前記充電制御部が決定したときに、前記Ａ／Ｄ変換が終了したとの判定結果を出力するように前記Ａ／Ｄ変換終了判定部を制御し、
前記第２の充電強度での前記バッテリの充電を前記充電制御部が決定したときに、前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したとの判定結果を出力するように前記情報伝送終了判定部を制御し、
前記送受信手段は、前記充電許可信号及び前記Ａ／Ｄ変換終了判定部から出力された判定結果、又は、前記情報伝送終了判定部から出力された判定結果を外部に送信することを特徴とする放射線検出装置。
【請求項７】
請求項４〜６のいずれか１項に記載の装置において、
前記充電制御部は、前記被写体に対する前記放射線の照射開始を通知する撮影要求信号を前記撮影装置が送信して前記送受信手段が受信したときに、前記充電禁止信号を発生することを特徴とする放射線検出装置。
【請求項８】
請求項７記載の装置において、
前記撮影装置による前記放射線の照射を制御する撮影制御部をさらに有し、
前記撮影制御部は、前記送受信手段が前記撮影要求信号を受信したときに、前記放射線の照射を許可する撮影許可信号を発生し、
前記送受信手段は、前記撮影許可信号を外部に送信することを特徴とする放射線検出装置。
【請求項９】
請求項４〜８のいずれか１項に記載の装置において、
前記送受信手段は、無線通信により外部と信号の送受信を行う無線送受信機であることを特徴とする放射線検出装置。
【請求項１０】
請求項１〜９のいずれか１項に記載の装置において、
前記充電装置は、非接触給電装置であり、
前記放射線検出装置は、前記非接触給電装置から非接触で供給される電力を受電して前記バッテリに供給する非接触受電部をさらに有することを特徴とする放射線検出装置。
【請求項１１】
被写体に放射線を照射する撮影装置と、
前記被写体を透過した放射線を検出して放射線画像情報に変換する放射線検出器、及び、前記放射線検出器を駆動するバッテリを備える放射線検出装置と、
前記被写体に対する撮影の有無、及び／又は、前記放射線検出器からの前記放射線画像情報の伝送の有無を判定する判定手段と、
前記バッテリを充電可能な充電装置と、
前記撮影装置、前記放射線検出装置、及び、前記充電装置を制御する制御装置と、
前記判定手段の判定結果に基づいて、前記充電装置から前記バッテリへの充電を制御する充電制御部と、
を有することを特徴とする放射線画像撮影システム。
【請求項１２】
請求項１１記載のシステムにおいて、
前記充電制御部は、前記被写体の撮影中と前記判定手段が判定したときに前記充電装置から前記バッテリへの充電を禁止し、及び／又は、前記放射線検出器から前記放射線画像情報が伝送中と前記判定手段が判定したときに前記充電装置から前記バッテリへの充電を制限することを特徴とする放射線画像撮影システム。
【請求項１３】
請求項１２記載のシステムにおいて、
前記放射線検出装置は、前記放射線画像情報をＡ／Ｄ変換してデジタル信号に変換するＡ／Ｄ変換器と、前記デジタル信号に変換された前記放射線画像情報を保存する画像メモリとをさらに備え、
前記判定手段は、
前記Ａ／Ｄ変換が終了したか否かを判定するＡ／Ｄ変換終了判定部と、
前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したか否かを判定する情報伝送終了判定部と、
を有し、
前記充電制御部は、
前記Ａ／Ｄ変換が終了したと前記Ａ／Ｄ変換終了判定部が判定したときに、第１の充電強度で前記バッテリを充電するように前記充電装置を制御し、
前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したと前記情報伝送終了判定部が判定したときに、前記第１の充電強度よりも高い第２の充電強度で前記バッテリを充電するように前記充電装置を制御することを特徴とする放射線画像撮影システム。
【請求項１４】
請求項１３記載のシステムにおいて、
前記充電制御部は、前記被写体に対する前記放射線の照射に同期して、前記充電装置から前記バッテリへの充電を禁止する充電禁止信号を発生することを特徴とする放射線画像撮影システム。
【請求項１５】
請求項１４記載のシステムにおいて、
前記バッテリに対する充電強度を前記第１の充電強度又は前記第２の充電強度に切り替える充電強度切替部をさらに有し、
前記充電制御部は、前記Ａ／Ｄ変換が終了したと前記Ａ／Ｄ変換終了判定部が判定したときに、前記充電装置から前記バッテリへの充電を許可する充電許可信号を発生し、
前記充電強度切替部は、
前記第１の充電強度での前記バッテリの充電を前記充電制御部が決定したときに、前記充電装置から前記バッテリに前記第１の充電強度で充電するための第１充電制御信号を発生し、
前記第２の充電強度での前記バッテリの充電を前記充電制御部が決定したときに、前記充電装置から前記バッテリに前記第２の充電強度で充電するための第２充電制御信号を発生することを特徴とする放射線画像撮影システム。
【請求項１６】
請求項１４記載のシステムにおいて、
前記バッテリに対する充電強度を前記第１の充電強度又は前記第２の充電強度に切り替える充電強度切替部をさらに有し、
前記充電制御部は、前記Ａ／Ｄ変換が終了したと前記Ａ／Ｄ変換終了判定部が判定したときに、前記充電装置から前記バッテリへの充電を許可する充電許可信号を発生し、
前記充電強度切替部は、
前記第１の充電強度での前記バッテリの充電を前記充電制御部が決定したときに、前記Ａ／Ｄ変換が終了したとの判定結果を出力するように前記Ａ／Ｄ変換終了判定部を制御し、
前記第２の充電強度での前記バッテリの充電を前記充電制御部が決定したときに、前記Ａ／Ｄ変換器から前記画像メモリへの前記放射線画像情報の転送、前記画像メモリへの前記放射線画像情報の保存、又は、前記画像メモリから外部への前記放射線画像情報の出力のうち、いずれか１つが終了したとの判定結果を出力するように前記情報伝送終了判定部を制御することを特徴とする放射線画像撮影システム。
【請求項１７】
請求項１４〜１６のいずれか１項に記載のシステムにおいて、
前記充電制御部は、前記被写体に対する前記放射線の照射開始を通知する撮影要求信号を前記撮影装置が出力したときに、前記充電禁止信号を発生することを特徴とする放射線画像撮影システム。
【請求項１８】
請求項１７記載のシステムにおいて、
前記撮影装置による前記放射線の照射を制御する撮影制御部をさらに有し、
前記撮影制御部は、前記撮影装置が前記撮影要求信号を出力したときに、前記放射線の照射を許可する撮影許可信号を発生することを特徴とする放射線画像撮影システム。
【請求項１９】
請求項１８記載のシステムにおいて、
前記Ａ／Ｄ変換終了判定部、前記情報伝送終了判定部、前記充電制御部、前記充電強度切替部及び前記撮影制御部は、
前記放射線検出装置、前記制御装置、前記撮影装置及び前記充電装置のうち、いずれか１つに配置されるか、
前記放射線検出装置、前記制御装置、前記撮影装置及び前記充電装置のうち、少なくとも２つにそれぞれ設けられるか、
あるいは、前記放射線検出装置、前記制御装置、前記撮影装置及び前記充電装置のうち、少なくとも２つに振り分けられて配置されることを特徴とする放射線画像撮影システム。
【請求項２０】
請求項１９記載のシステムにおいて、
前記Ａ／Ｄ変換終了判定部、前記情報伝送終了判定部、前記充電制御部、前記充電強度切替部及び前記撮影制御部が設けられている前記放射線検出装置、前記制御装置、前記撮影装置及び／又は前記充電装置には、
前記撮影要求信号を受信し、一方で、前記充電許可信号及び前記第１充電制御信号、前記第２充電制御信号、前記充電禁止信号又は前記撮影許可信号を外部に送信する送受信手段がさらに設けられていることを特徴とする放射線画像撮影システム。
【請求項２１】
請求項２０記載のシステムにおいて、
前記送受信手段は、無線通信により外部と信号の送受信を行う無線送受信機であることを特徴とする放射線画像撮影システム。
【請求項２２】
請求項１１〜２１のいずれか１項に記載のシステムにおいて、
前記充電装置は、非接触給電装置であり、
前記放射線検出装置は、前記非接触給電装置から非接触で供給される電力を受電して前記バッテリに供給する非接触受電部をさらに有することを特徴とする放射線画像撮影システム。
【請求項２３】
撮影装置から被写体に放射線を照射し、該放射線を放射線検出装置に搭載した放射線検出器で検出して放射線画像情報に変換する放射線画像撮影方法であって、
前記放射線検出器をバッテリで駆動し、充電装置から前記バッテリに充電が可能である場合に、
前記被写体に対する撮影の有無、及び／又は、前記放射線検出器からの前記放射線画像情報の伝送の有無に基づいて、前記充電装置から前記バッテリへの充電を制御することを特徴とする放射線画像撮影方法。
【発明の詳細な説明】
【技術分野】
【０００１】
本発明は、被写体を透過した放射線を検出して放射線画像情報に変換する放射線検出器を備えた放射線検出装置、該放射線検出装置を備えた放射線画像撮影システム、及び、放射線画像撮影方法に関する。
【背景技術】
【０００２】
医療分野において、被写体に放射線を照射し、該被写体を透過した前記放射線を放射線変換パネルに導いて放射線画像を撮影する放射線画像撮影装置が広汎に使用されている。前記放射線変換パネルとしては、放射線画像が露光記録される従来からの放射線フイルムや、蛍光体に放射線画像としての放射線エネルギを蓄積し、励起光を照射することで当該放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像を得ることができる。
【０００３】
一方、手術室等においては、患者に対して迅速且つ的確な処置を施すため、撮影後の放射線変換パネルから直ちに放射線画像を読み出して表示することが必要である。また、乳幼児、小児や高齢者、病気や怪我などで長時間自立できない患者の撮影においても、同様に迅速な撮影が求められる。このような要求に対応可能な放射線変換パネルとして、放射線を電気信号に直接変換する直接変換型の放射線検出器、あるいは、放射線をシンチレータで可視光に変換した後、固体検出素子を用いて前記可視光を電気信号に変換して読み出す間接変換型の放射線検出器が開発されている。
【０００４】
例えば、特許文献１には、放射線検出装置（電子カセッテ）内の放射線検出器を駆動するバッテリに対して、非接触により充電を行なうことが提案されている。
【先行技術文献】
【特許文献】
【０００５】
【特許文献１】特開２００８−１７０３１５号公報
【発明の概要】
【発明が解決しようとする課題】
【０００６】
しかしながら、特許文献１には、被写体に対する撮影のタイミング、及び／又は、放射線検出器からの放射線画像情報の伝送のタイミングと、外部の充電装置からバッテリへの充電のタイミングとの関係について、何ら提案されていない。従って、前記被写体に対する撮影中又は前記放射線画像情報の伝送中に、前記充電装置から前記バッテリに充電を行なえば、前記充電に起因したノイズが前記放射線画像情報に混入するので、該放射線画像情報が医師による読影診断に適さない画像情報となるおそれがある。
【０００７】
本発明の目的は、バッテリへの充電に起因したノイズの混入を回避することで高精度な放射線画像情報を得ると共に、放射線画像情報に影響を与えることなく、バッテリに対する充電を効率よく行なうことにある。
【課題を解決するための手段】
【０００８】
上記の目的を達成するために、本発明は、下記の特徴を備えている。
【０００９】
すなわち、本発明に係る放射線検出装置は、
外部の撮影装置から照射されて被写体を透過した放射線を検出して放射線画像情報に変換する放射線検出器と、
前記放射線検出器を駆動するバッテリと、
前記被写体に対する撮影の有無、及び／又は、前記放射線検出器からの前記放射線画像情報の伝送の有無を判定する判定手段と、
前記判定手段の判定結果に基づいて、外部の充電装置から前記バッテリへの充電を制御する充電制御部と、
を有することを特徴としている。
【００１０】
また、本発明に係る放射線画像撮影システムは、
被写体に放射線を照射する撮影装置と、
前記被写体を透過した放射線を検出して放射線画像情報に変換する放射線検出器、及び、前記放射線検出器を駆動するバッテリとを備える放射線検出装置と、
前記被写体に対する撮影の有無、及び／又は、前記放射線検出器からの前記放射線画像情報の伝送の有無を判定する判定手段と、
前記バッテリを充電可能な充電装置と、
前記撮影装置、前記放射線検出装置、及び、前記充電装置を制御する制御装置と、
前記判定手段の判定結果に基づいて、前記充電装置から前記バッテリへの充電を制御する充電制御部と、
を有することを特徴としている。
【００１１】
さらに、本発明に係る放射線画像撮影方法は、
撮影装置から被写体に放射線を照射し、該放射線を放射線検出装置に搭載した放射線検出器で検出して放射線画像情報に変換する放射線画像撮影方法であって、
前記放射線検出器をバッテリで駆動し、充電装置から前記バッテリに充電が可能である場合に、
前記被写体に対する撮影の有無、及び／又は、前記放射線検出器からの前記放射線画像情報の伝送の有無に基づいて、前記充電装置から前記バッテリへの充電を制御することを特徴としている。
【発明の効果】
【００１２】
上述した各発明によれば、被写体に対する撮影の有無、及び／又は、放射線検出器からの放射線画像情報の伝送の有無に基づいて、充電装置からバッテリへの充電を制御するので、前記バッテリへの充電に起因したノイズの混入を回避して高精度な放射線画像情報を得ると共に、前記放射線画像情報に影響を与えることなく、前記バッテリに対する充電を効率よく行なうことができる。
【図面の簡単な説明】
【００１３】
【図１】本発明の第１の実施形態に係る放射線画像撮影システムが設置された手術室の説明図である。
【図２】図１に示す電子カセッテの一部切断斜視説明図である。
【図３】図２の放射線検出器の回路構成ブロック図である。
【図４】図１に示す放射線画像撮影システムのブロック説明図である。
【図５】図４に示す電子カセッテの構成をより具体的に示したブロック説明図である。
【図６】図４に示す放射線画像撮影システムの撮影手順の一例を示すフローチャートである。
【図７】図６のフローチャートを一部変更した他のフローチャートである。
【図８】本発明の第２の実施形態に係る放射線画像撮影システムのブロック説明図である。
【図９】図８に示す放射線画像撮影システムの撮影手順を示すフローチャートである。
【図１０】図４に示す放射線画像撮影システムの第１の変形例に係る放射線画像撮影システムのブロック説明図である。
【図１１】図４に示す放射線画像撮影システムの第１の変形例に係る放射線画像撮影システムのブロック説明図である。
【図１２】電子カセッテの他の構成図である。
【図１３】電子カセッテの充電を行うクレードルの構成図である。
【図１４】図４に示す放射線画像撮影システムの第２の変形例に係る放射線画像撮影システムの説明図である。
【図１５】図４に示す放射線画像撮影システムの第３の変形例に係る放射線画像撮影システムの説明図である。
【図１６】図４に示す放射線画像撮影システムの第４の変形例に係る放射線画像撮影システムの説明図である。
【図１７】図４に示す放射線画像撮影システムの第５の変形例に係る放射線画像撮影システムの説明図である。
【発明を実施するための形態】
【００１４】
以下、本発明に係る放射線画像撮影システム及び放射線画像撮影方法について、このシステムに用いられる放射線検出装置との関係で好適な実施の形態を挙げ、添付の図面を参照して詳細に説明する。
【００１５】
図１に示すように、本発明の第１の実施形態に係る放射線画像撮影システム１０（以下、「撮影システム１０」ともいう）が設置された手術室１２には、患者１４が横臥するベッドである手術台１６と、医師１８が手術に使用する各種器具を載置する器具台２０とが配置されている。また、手術台１６の周りには、図示しない麻酔器、吸引器、心電計、血圧計等、手術に必要な様々な機器が配置される。
【００１６】
撮影システム１０は、撮影条件に従った線量の放射線Ｘを被写体である患者１４に照射する撮影装置（放射線照射装置）２２と、患者１４を透過した放射線Ｘを検出する放射線検出器４０（図２参照）を内蔵した放射線検出装置である電子カセッテ２４と、電子カセッテ２４に内蔵されたバッテリ４４（図２参照）へと電力を無線（非接触）で供給する給電装置（充電装置、非接触給電装置、無線給電装置）２５と、放射線検出器４０で検出された放射線Ｘに基づく放射線画像を表示する表示装置２６と、当該撮影システム１０を総合的に制御するコンソール（制御装置）２８とを備える。撮影システム１０において、撮影装置２２、電子カセッテ２４、給電装置２５、表示装置２６及びコンソール２８間は、例えば、ＵＷＢ（Ｕｌｔｒａ  Ｗｉｄｅ  Ｂａｎｄ）、ＩＥＥＥ８０２．１１．ａ／ｇ／ｎ等のＷｉＦｉ（Ｗｉｒｅｌｅｓｓ  Ｆｉｄｅｌｉｔｙ）又はミリ波を用いた無線通信により信号の送受信を行うことができる。
【００１７】
また、給電装置２５と電子カセッテ２４との間は非接触状態であるため、前述のように、給電装置２５から電子カセッテ２４（のバッテリ４４）への電力の給電方式としては、非接触（無線）で電力供給を行う非接触給電方式が採用される。
【００１８】
具体的に、前記非接触給電方式には、（１）マイクロ波帯の電磁波を利用して給電装置２５から電子カセッテ２４に対して電力供給を行うマイクロ波給電方式、（２）給電装置２５に設けられたコイルと電子カセッテ２４に設けられたコイルとを近接させた状態で電磁誘導により電力供給を行う電磁誘導方式、（３）給電装置２５と電子カセッテ２４との間での電磁界の共鳴現象を利用して電力供給を行う共鳴方式、等がある。
【００１９】
また、（３）の共鳴方式についても、給電装置２５のコイルと電子カセッテ２４のコイルとの共鳴周波数を略同一とし、送信側の給電装置２５のコイルが手術室１２内の所定空間に高周波電力による電磁界を形成し、一方で、受信側の電子カセッテ２４のコイルを前記電磁界内に配置することにより、前記高周波電力の受電を可能とする磁気共鳴方式等がある。
【００２０】
なお、給電装置２５から電子カセッテ２４への非接触給電（マイクロ波給電方式、電磁誘導方式、共鳴方式、磁気共鳴方式）としては、公知の非接触給電方式を採用することが可能である。
【００２１】
以下の説明では、特に断りがない限り、給電装置２５から電子カセッテ２４のバッテリ４４への給電は、非接触給電方式の一つである磁気共鳴方式により行われるものとして説明する。
【００２２】
撮影装置２２は、天井から延びた自在アーム３０に連結され、患者１４の撮影部位に応じた所望の位置に移動可能であると共に、医師１８による手術の邪魔とならない位置に待避可能である。同様に、給電装置２５は自在アーム３１に連結され、電子カセッテ２４の配置に応じた所望の位置に移動可能である。表示装置２６は自在アーム３２に連結され、表示される放射線画像を医師１８が容易に確認できる位置に移動可能である。自在アーム３０〜３２は、壁や床又は移動可能なワゴン等に設けてもよく、給電装置２５や表示装置２６は、自在アームを介さずに天井や壁、床等に固定しておいてもよい。なお、給電装置２５は、放射線検出装置（電子カセッテ２４等）へ印加する磁場Ｍ（高周波電力による電磁界）が患者１４を避けるように、例えば、当該放射線検出装置の側面水平方向（図１及び図１４参照）や底面下方（図１５参照）等に配置されることが好ましい。
【００２３】
図２は、図１の電子カセッテ２４の一部切断斜視説明図である。電子カセッテ２４は、放射線Ｘを透過させる材料からなる箱状のケーシング３４を備える。ケーシング３４の内部には、放射線Ｘが照射される照射面３６側から順に、患者１４による放射線Ｘの散乱線を除去するグリッド３８と、患者１４を透過した放射線Ｘを検出する放射線検出器（放射線変換パネル）４０と、放射線Ｘのバック散乱線を吸収する鉛板４２とが層状に配設される。ケーシング３４の照射面３６をグリッド３８として構成することもできる。
【００２４】
また、電子カセッテ２４には、電源部として機能するバッテリ４４と、バッテリ４４からの電力によって放射線検出器４０の駆動制御等を行うカセッテ制御部４６と、放射線検出器４０で検出した放射線Ｘの情報（放射線画像情報）を含む信号をコンソール２８との間で無線によって送受信する送受信機４８とが備えられる。バッテリ４４、カセッテ制御部４６及び送受信機４８には、放射線Ｘが照射されることによる損傷を回避するため、照射面３６側に鉛板等を配設しておくことが好ましい。さらに、電子カセッテ２４には、給電装置２５で電気エネルギ（高周波電力）から変換され、非接触給電（無線）によって印加される磁場（磁界、磁束）Ｍを受電し、該磁場Ｍを電気エネルギに再変換する無線受電部（非接触受電部）４９等が設けられる。
【００２５】
図３は、放射線検出器４０の回路構成ブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有する直接変換型の放射線検出器である。この場合、放射線検出器４０は、光電変換層５１にて発生した電荷を蓄積容量（蓄積部）５３に蓄積した後、各行毎にＴＦＴ５２を順次オンにして、電荷を画像信号として読み出す。図３では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、電子カセッテ２４内に放射線検出器４０を冷却する手段を配設することが好ましい。
【００２６】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。
【００２７】
ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００２８】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器７０が接続され、該Ａ／Ｄ変換器７０によってデジタル信号に変換された放射線画像情報がカセッテ制御部４６に供給される。
【００２９】
さらに、スイッチング素子として機能するＴＦＴ５２は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００３０】
図４は、撮影装置２２、電子カセッテ２４、給電装置２５、表示装置２６及びコンソール２８からなる撮影システム１０のブロック説明図である。
【００３１】
コンソール２８には、病院内の放射線科で取り扱われる放射線画像情報やその他の情報、例えば、患者１４毎の撮影回数（撮影枚数、曝射回数）等のオーダ情報（オーダリング情報）を記憶すると共に、これら各情報を統括的に管理する放射線科情報システム（ＲＩＳ、情報管理システム）２９が接続される。さらに、ＲＩＳ２９には、病院内の医事情報を統括的に管理する医事情報システム（ＨＩＳ）３３が接続される。ＨＩＳ３３にＲＩＳ２９の機能を統合的に付与した総合的なシステムとして構成することもできる。
【００３２】
撮影装置２２は、撮影スイッチ７２と、放射線源７４と、送受信機７６と、線源制御部７８とを有する。送受信機７６は、無線通信によってコンソール２８から撮影条件を受信する一方、コンソール２８に対して撮影完了信号及び撮影開始信号等を送信する。線源制御部７８は、撮影スイッチ７２から供給される撮影開始信号（撮影要求信号）及びコンソール２８から供給される撮影条件に基づき放射線源７４を駆動制御する。放射線源７４は、線源制御部７８からの制御に基づき放射線Ｘを出力する。
【００３３】
給電装置２５は、図示しない外部電源等に接続された電源８０と、無線通信によってコンソール２８から給電開始信号（給電開始信号、充電許可信号）等を受信する一方、コンソール２８に対して当該給電装置２５のＩＤ情報（識別データ）等を送信する送受信機８２と、電源８０からの電気エネルギを磁場Ｍに変換して電子カセッテ２４へと非接触（無線）で送電するＬＣ共振器（送電部）８４と、コンソール２８から供給される給電開始信号に基づきＬＣ共振器８４を駆動制御する給電制御部８６とを備える。
【００３４】
図５は、本実施形態に係る放射線検出装置としての電子カセッテ２４の構成をより具体的に示した撮影システム１０のブロック説明図である。
【００３５】
図４及び図５に示すように、電子カセッテ２４は、放射線検出器４０と、バッテリ４４と、無線受電部４９と、カセッテ制御部４６と、送受信機（送受信手段、無線送受信機）４８とを備える。
【００３６】
バッテリ４４は、リチウムイオン電池等の充電可能な２次電池で構成され、放射線検出器４０、カセッテ制御部４６及び送受信機４８等、電子カセッテ２４の各部に電力を供給する電源である。バッテリ４４としては、２次電池以外にも、例えば、電気二重層コンデンサ等の蓄電素子を使用することもできる。要は、バッテリ４４は、充電可能であり且つ電子カセッテ２４の電源として適切に機能するものであればよい。
【００３７】
無線受電部４９は、給電装置２５から非接触（無線）で供給される電力を受電し、バッテリ４４へと供給（充電）する機能を奏する。該無線受電部４９は、給電装置２５のＬＣ共振器８４から印加される磁場Ｍを受けて電気エネルギ（高周波電力）に再変換するＬＣ共振器８８と、ＬＣ共振器８８で再変換された電気エネルギを所望の電力に変換してバッテリ４４へ供給する充電回路９０とを有する。なお、ＬＣ共振器８８は、コイルとコンデンサとを有するＬＣ共振回路から構成される。また、充電回路９０は、ＬＣ共振器８８で発生した電流を整流して、例えば、所定の定電流でバッテリ４４を充電する。
【００３８】
さらに、無線受電部４９には、ＬＣ共振器８８と並設され、該ＬＣ共振器８８より小型の検出用ＬＣ共振器９４と、検出用ＬＣ共振器９４で再変換された電気エネルギを検出するエネルギ検出部９６とが備えられる。なお、検出用ＬＣ共振器９４も、ＬＣ共振器８８と同様に、コイルとコンデンサとを有するＬＣ共振回路から構成される。また、エネルギ検出部９６は、前記電気エネルギを検出することにより、当該電子カセッテ２４が給電装置２５の給電可能エリア内にあることを検出し、カセッテ制御部４６へと給電エリア検出信号を送信する。
【００３９】
上記のように、給電装置２５から電子カセッテ２４に対しては、コイルとコンデンサとを有するＬＣ共振回路で構成されたＬＣ共振器８４からＬＣ共振器８８への磁場Ｍの共鳴（磁気共鳴）を利用する公知の電力送信技術を用い、非接触（無線）による給電（充電）を行うことができる。
【００４０】
図５に示すように、カセッテ制御部４６は、アドレス信号発生部９８と、画像メモリ１００と、運転管理部１０２と、カセッテＩＤメモリ１０４と、データ管理部１０６とを備える。アドレス信号発生部９８は、放射線検出器４０を構成するライン走査駆動部５８のアドレスデコーダ６０及びマルチプレクサ６６のアドレスデコーダ６８に対して、アドレス信号を供給する。画像メモリ１００は、放射線検出器４０によって検出された放射線画像情報を記憶する。すなわち、画像メモリ１００には、放射線検出器４０に照射され、信号電荷として蓄積された後、読み出されてデジタル信号に変換された放射線画像情報が保存される。
【００４１】
運転管理部１０２は、無線受電部４９及びバッテリ４４を駆動制御すると共に、当該電子カセッテ２４全体の駆動も制御する。さらに、運転管理部１０２には、判定手段としてのＡ／Ｄ変換終了判定部１０７及び情報伝送終了判定部１１１と、充電制御部１０８と、撮影制御部１０９と、充電強度切替部１１３とが設けられる。
【００４２】
Ａ／Ｄ変換終了判定部１０７は、Ａ／Ｄ変換器７０による放射線画像情報のＡ／Ｄ変換が終了したか否かを判定する。情報伝送終了判定部１１１は、Ａ／Ｄ変換器７０から画像メモリ１００へのデジタル信号の放射線画像情報の転送、画像メモリ１００への前記デジタル信号の放射線画像情報の保存、又は、画像メモリ１００から送受信機４８、１１６を介したコンソール２８への前記デジタル信号の放射線画像情報の送信（出力）のうち、いずれか１つが終了したか否かを判定する。撮影制御部１０９は、撮影装置２２による撮影（放射線Ｘの照射）を許可する制御信号（撮影許可信号）を発生するか、あるいは、撮影装置２２による撮影を禁止する制御信号（撮影禁止信号）を発生する。
【００４３】
充電制御部１０８は、Ａ／Ｄ変換が終了したとＡ／Ｄ変換終了判定部１０７が判定したときに、第１の充電強度でバッテリ４４を充電することを決定すると共に、給電装置２５から当該電子カセッテ２４への給電（充電）を許可する信号（給電許可信号、給電開始信号、充電許可信号）を発生する。また、充電制御部１０８は、Ａ／Ｄ変換器７０から画像メモリ１００へのデジタル信号の放射線画像情報の転送、画像メモリ１００への前記デジタル信号の放射線画像情報の保存、又は、画像メモリ１００から送受信機４８、１１６を介したコンソール２８への前記デジタル信号の放射線画像情報の送信（出力）のうち、いずれか１つが終了したと情報伝送終了判定部１１１が判定したときに、第１の充電強度よりも高い第２の充電強度でバッテリ４４を充電することを決定する。
【００４４】
さらに、充電制御部１０８は、撮影制御部１０９が撮影許可信号を発生した場合に、給電装置２５から当該電子カセッテ２４への給電（充電）を禁止する信号（給電禁止信号、充電禁止信号）を発生する。さらにまた、充電制御部１０８は、撮影制御部１０９が撮影禁止信号を発生した場合に、給電装置２５から当該電子カセッテ２４への給電（充電）を許可する信号（給電許可信号、充電許可信号）を発生する。
【００４５】
このように、Ａ／Ｄ変換終了判定部１０７での判定結果や、情報伝送終了判定部１１１での判定結果や、撮影制御部１０９からの信号を受けて、給電禁止信号や給電許可信号を発生する充電制御部１０８は、給電禁止信号や給電許可信号にそれぞれ対応する複数の制御部（信号発生部）として構成することもできる。
【００４６】
充電強度切替部１１３は、第１の充電強度でのバッテリ４４の充電を充電制御部１０８が決定したときに、給電装置２５からバッテリ４４に第１の充電強度で充電するための制御信号（第１充電制御信号）を発生する。また、充電強度切替部１１３は、第２の充電強度でのバッテリ４４の充電を充電制御部１０８が決定したときに、給電装置２５からバッテリ４４に第２の充電強度で充電するための制御信号（第２充電制御信号）を発生する。
【００４７】
なお、充電強度とは、給電装置２５からバッテリ４４への充電に係る供給エネルギのレベルをいい、例えば、ＬＣ共振器８４に供給される電気エネルギの量や、ＬＣ共振器８４に印加される電圧の高さ、ＬＣ共振器８４に流れる電流量、磁場Ｍの大きさ、ＬＣ共振器８８や検出用ＬＣ共振器９４で再変換される電気エネルギの量、ＬＣ共振器８８や検出用ＬＣ共振器９４に発生する電圧の高さ、ＬＣ共振器８８や検出用ＬＣ共振器９４から流れ出る電流量をいう。また、第１の充電強度とは、比較的に低レベルの充電強度をいい、例えば、Ａ／Ｄ変換器７０でＡ／Ｄ変換されたデジタル信号の放射線画像情報に、バッテリ４４に対する充電に起因したノイズが混入しない程度の充電強度をいう。さらに、第２の充電強度とは、比較的に高レベルの充電強度をいい、例えば、バッテリ４４に対する通常の充電における充電強度をいう。さらにまた、前記ノイズが周波数に依存するものであれば、周波数が高い程、放射線画像情報に混入するノイズが問題となるので、第１の充電強度を低周波数の充電強度とし、一方で、第２の充電強度を高周波数の充電強度とすることが望ましい。
【００４８】
充電制御部１０８で発せられた給電禁止信号や給電許可信号、撮影制御部１０９で発せられた撮影許可信号や撮影禁止信号、及び、充電強度切替部１１３で発せられた第１充電制御信号や第２充電制御信号は、送受信機４８を介してコンソール２８へと送信される。コンソール２８では、これら各信号を受信すると、給電装置２５からの非接触給電（無線給電）の禁止（停止）制御や開始（再開）制御や充電強度の制御、及び、撮影装置２２からの撮影の許可（開始）制御や禁止（停止）制御を実施する。なお、コンソール２８を介さず、給電禁止（許可）信号や撮影許可（禁止）信号や第１充電制御信号又は第２充電制御信号を電子カセッテ２４から給電装置２５へと直接的に送信し、例えば、給電制御部８６や線源制御部７８によって給電禁止（開始）制御や撮影開始（禁止）制御や充電強度の制御を行うように構成してもよい。
【００４９】
カセッテＩＤメモリ１０４は、電子カセッテ２４を特定するためのカセッテＩＤ情報を記憶する。データ管理部１０６は、当該電子カセッテ２４の給電に対応する給電装置２５を特定するためのＩＤ情報（識別データ）及びエネルギ検出部９６からの給電エリア検出信号等を管理すると共に、前記給電エリア検出信号に基づいて、給電装置２５からの給電が可能であることを示す無線給電可能信号を発生する。
【００５０】
送受信機４８は、無線通信によりコンソール２８から送信要求信号及び給電装置２５のＩＤ情報を受信する一方、コンソール２８に対して、放射線画像情報、カセッテＩＤ情報、無線給電可能信号、給電禁止信号、給電許可信号、撮影許可信号、撮影禁止信号、第１充電制御信号及び第２充電制御信号等を送信する。
【００５１】
図４に示すように、表示装置２６は、コンソール２８から放射線画像情報を受信する受信機１１０と、受信した放射線画像情報の処理を行う表示制御部１１２と、表示制御部１１２で処理された放射線画像情報を表示する表示部１１４とを備える。
【００５２】
コンソール２８は、送受信機１１６と、撮影条件管理部１１８と、画像処理部１２０と、画像メモリ１２２と、患者情報管理部１２４と、カセッテ情報管理部１２６と、給電情報管理部１２８とを備える。なお、コンソール２８は、撮影装置２２、電子カセッテ２４、給電装置２５及び表示装置２６に対して信号の送受信を確実に行うことができるのであれば、手術室１２の外部に設置してもよい。
【００５３】
送受信機１１６は、当該コンソール２８と、撮影装置２２、電子カセッテ２４、給電装置２５及び表示装置２６との間で、放射線画像情報や給電禁止（許可）信号、撮影許可（禁止）信号、第１充電制御信号及び第２充電制御信号を含む必要な情報を無線通信によって送受信する。撮影条件管理部１１８は、撮影装置２２による撮影に必要な撮影条件を管理すると共に、さらに、撮影制御部１０９からの撮影許可信号や撮影禁止信号に基づく撮影装置２２の撮影開始制御や撮影禁止制御を行う。画像処理部１２０は、電子カセッテ２４から受信した放射線画像情報に対し、所定の画像処理を行う。画像メモリ１２２は、画像処理部１２０で処理された放射線画像情報を記憶する。患者情報管理部１２４は、撮影対象である患者１４の患者情報を管理する。カセッテ情報管理部１２６は、電子カセッテ２４から受信した無線給電可能信号やカセッテＩＤ情報を含むカセッテ情報を管理する。給電情報管理部１２８は、給電装置２５の運転制御や給電装置２５から送信されたＩＤ情報等の管理等を行うと共に、さらに、充電制御部１０８からの給電禁止信号や給電許可信号に基づく給電装置２５の給電禁止制御や給電開始制御（給電再開制御）を行う。また、給電情報管理部１２８は、充電強度切替部１１３からの第１充電制御信号や第２充電制御信号に基づいて、給電装置２５から電子カセッテ２４への充電強度の切替制御（第１充電強度又は第２充電強度への切り替え）を行う。
【００５４】
なお、前記撮影条件とは、患者１４の撮影部位に対して、適切な線量からなる放射線Ｘを照射するための管電圧、管電流、照射時間等を決定するための条件であり、例えば、撮影部位、撮影方法等の条件を挙げることができる。さらに、撮影条件としては、例えば、ＲＩＳ２９からのオーダ情報として、撮影回数等の条件が挙げられる。前記患者情報とは、患者１４の氏名、性別、患者ＩＤ番号等、患者１４を特定するための情報である。これらの撮影条件及び患者情報を含む撮影のオーダ情報は、コンソール２８で直接設定し、あるいは、ＲＩＳ２９を介してコンソール２８に外部から供給することができる。また、前記カセッテ情報には、電子カセッテ２４を特定するためのカセッテＩＤ情報等に加え、データ管理部１０６からの無線給電可能信号も含まれる。
【００５５】
第１の実施形態に係る撮影システム１０は、基本的には以上のように構成される。
【００５６】
次に、撮影システム１０の動作（放射線画像撮影方法）について、図６のフローチャートを参照しながら説明する。
【００５７】
ここでは、撮影枚数が１枚の場合であり、且つ、Ａ／Ｄ変換器７０から画像メモリ１００へのデジタル信号の放射線画像情報の転送が終了したか否かを情報伝送終了判定部１１１が判定する場合における撮影システム１０の動作について説明する。
【００５８】
撮影システム１０は、手術室１２に設置されており、例えば、手術中に放射線画像の撮影が必要となった際に使用される。そのため、撮影対象である患者１４の患者情報や撮影枚数等は、撮影に先立ち、コンソール２８の患者情報管理部１２４に予め登録しておく。また、撮影部位や撮影方法が事前に決まっている場合には、これらの撮影条件を撮影条件管理部１１８に予め登録しておく。これらの登録は、ＲＩＳ２９から情報を取得して行うことができる。以上の準備作業が終了した状態で患者１４に対する手術が遂行される。
【００５９】
先ず、図６のステップＳ１において、手術中に放射線画像の撮影を行う際には、医師１８又は担当する放射線技師は照射面３６を撮影装置２２側に向けた状態で、患者１４と手術台１６との間の所望の位置に電子カセッテ２４を設置する。
【００６０】
ここで、コンソール２８の運転開始と連動して、又は、図示しない運転開始スイッチの操作等により、給電装置２５が所定の運転条件（低出力運転）で駆動される。従って、電子カセッテ２４は、無線受電部４９の検出用ＬＣ共振器９４及びエネルギ検出部９６により、当該電子カセッテ２４が給電装置２５の給電可能エリア内に配置されたことを検出することができる。すなわち、エネルギ検出部９６が、電子カセッテ２４が給電装置２５から受電可能なエリアにあるか否かを検出する受電可否検出部として機能する。その際、給電装置２５の給電制御部８６は、電子カセッテ２４の検出用ＬＣ共振器９４及びエネルギ検出部９６がＬＣ共振器８４からの磁場Ｍの有無を検出できる程度の弱い磁場Ｍを印加する低出力運転を行い、電力消費量を有効に抑えている。
【００６１】
一方、電子カセッテ２４では、エネルギ検出部９６からデータ管理部１０６へと給電エリア検出信号が供給される。給電エリア検出信号を受けたデータ管理部１０６は、給電情報管理部１２８に記憶された給電装置２５のＩＤ情報をコンソール２８から受信する一方、無線給電可能信号をコンソール２８のカセッテ情報管理部１２６へと送信する。
【００６２】
さらに、前記給電エリア検出信号は、エネルギ検出部９６から運転管理部１０２にも伝達される。給電エリア検出信号を受けた運転管理部１０２では、当該電子カセッテ２４を使用可能な状態へと電源ＯＮし、これにより撮影準備が完了される。勿論、電子カセッテ２４の側面等に、医師１８等が操作する図示しない電源スイッチを設けることもできる。
【００６３】
撮影システム１０では、上記のような撮影準備が完了した後、ステップＳ２において、カセッテ制御部４６及び給電情報管理部１２８（やカセッテ情報管理部１２６）によるバッテリ４４の残量管理下に、当該バッテリ４４の充電が必要と判断された場合には（ステップＳ２のＮＯ）、給電開始信号がコンソール２８の給電情報管理部１２８から給電装置２５の給電制御部８６へと送信される。より詳細に説明すると、カセッテ制御部４６の充電制御部１０８は、送受信機４８、１１６を介して給電情報管理部１２８に給電開始信号を送信し、給電情報管理部１２８は、受信した前記給電開始信号を送受信機１１６、８２を介して給電制御部８６に転送する。
【００６４】
これにより、撮影システム１０では、給電装置２５による所望の電力量及びタイミングでの電子カセッテ２４への給電（充電）を行うことができる（ステップＳ３）。なお、手術中、バッテリ４４の残量が不足した際等には、電子カセッテ２４を所定の撮影位置に配置した状態のまま適宜充電することができる。勿論、撮影準備中（電子カセッテ２４の設置作業中）や撮影開始前であっても、バッテリ４４の残量が不足している場合には、手術開始前や手術開始後において、すぐに非接触充電（無線充電）を実行し、迅速に撮影準備を完了することができる。
【００６５】
電子カセッテ２４への非接触給電（無線給電）に際しては、ＬＣ共振器８４から電子カセッテ２４へと印加される磁場Ｍを、前記低出力運転よりも十分に強い磁場に変更した所定の運転条件（高出力運転、給電運転）で給電装置２５を駆動制御するとよい。また、電子カセッテ２４では、ＬＣ共振器８８と共に、検出用ＬＣ共振器９４で受けた電力も充電回路９０からバッテリ４４への充電に使用して、バッテリ４４の一層急速な充電を行うこともできる。
【００６６】
撮影システム１０では、上記のようにコンソール２８を介して電子カセッテ２４と給電装置２５との間で対応する給電装置２５のＩＤ情報を確認できる。このため、例えば、給電装置を複数台設置した場合にも、対応する所望の給電装置から電子カセッテ２４へと適切に且つ選択的に給電運転を行うことができ、無駄な電力消費や誤動作等を回避することができる。
【００６７】
ステップＳ２において、バッテリ４４が十分な残量を有していると判断されると（ステップＳ２のＹＥＳ）、続いて、撮影制御部１０９から撮影許可信号が発せられると共に（ステップＳ４）、充電制御部１０８から給電禁止信号が発せられる（ステップＳ５）。従って、コンソール２８（撮影条件管理部１１８及び給電情報管理部１２８）の制御下に、撮影装置２２が撮影可能な撮影開始待機状態とされる一方、給電装置２５が給電禁止状態とされる。
【００６８】
これにより、放射線画像の撮影中での非接触給電（無線給電）が禁止されるので、例えば、バッテリ４４から放射線検出器４０に供給される電圧等が不安定となって大きく変動することを有効に回避することができる。また、給電装置２５から印加される磁場Ｍ等に起因したノイズが放射線検出器４０側に影響を及ぼすことで、撮影された放射線画像にノイズが混入して、放射線画像の品質が低下することも有効に回避することができる。
【００６９】
ステップＳ６において、医師１８又は放射線技師は、撮影装置２２を電子カセッテ２４に対向する位置に移動させた後、撮影スイッチ７２を操作して、放射線画像の撮影を行う。この場合、撮影スイッチ７２は、例えば２段階で構成され、１段目のスイッチが操作されることにより放射線源７４が所定の管電流等に起動されて照射準備がなされ、２段目のスイッチが操作されることにより放射線Ｘが照射される。
【００７０】
すなわち、医師１８等による撮影スイッチ７２の操作に基づき、撮影装置２２の線源制御部７８は、コンソール２８に対して撮影条件の送信を要求する信号を送信する。コンソール２８は、受信した前記要求に基づいて、撮影条件管理部１１８に登録されている当該患者１４の撮影部位に係る撮影条件や撮影枚数を撮影装置２２へと送信する。線源制御部７８は、前記撮影条件を受信すると、当該撮影条件に基づいて放射線源７４を制御し、所定の線量からなる放射線Ｘを患者１４に照射（曝射）する。勿論、前記撮影条件は、予めコンソール２８から線源制御部７８の図示しないメモリ等に送信されていてもよい。
【００７１】
患者１４を透過した放射線Ｘは、電子カセッテ２４のグリッド３８によって散乱線が除去された後、放射線検出器４０に照射され、放射線検出器４０を構成する各画素５０の光電変換層５１によって電気信号に変換された後、蓄積容量５３に電荷として保持される（図３参照）。次いで、各蓄積容量５３に保持された患者１４の放射線画像情報である電荷情報（信号電荷）は、カセッテ制御部４６を構成するアドレス信号発生部９８からライン走査駆動部５８及びマルチプレクサ６６に供給されるアドレス信号に従って読み出される。
【００７２】
すなわち、ライン走査駆動部５８のアドレスデコーダ６０は、アドレス信号発生部９８から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部９８から供給されるアドレス信号に従って選択信号を出力してスイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【００７３】
放射線検出器４０の選択されたゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号へとＡ／Ｄ変換される（ステップＳ７）。デジタル信号に変換された放射線画像情報は、カセッテ制御部４６の画像メモリ１００に一旦記憶される。
【００７４】
同様にして、ライン走査駆動部５８のアドレスデコーダ６０は、アドレス信号発生部９８から供給されるアドレス信号に従ってスイッチＳＷ１を順次切り替え、各ゲート線５４に接続されている各画素５０の蓄積容量５３に保持された電荷情報である放射線画像情報を信号線５６を介して読み出し、マルチプレクサ６６及びＡ／Ｄ変換器７０を介してＡ／Ｄ変換し（ステップＳ７）、カセッテ制御部４６の画像メモリ１００に記憶させる。
【００７５】
この場合、Ａ／Ｄ変換終了判定部１０７は、Ａ／Ｄ変換器７０による放射線画像情報のＡ／Ｄ変換が終了したか否かを判定する（ステップＳ８）。Ａ／Ｄ変換が終了したとＡ／Ｄ変換終了判定部１０７が判定した場合に（ステップＳ８のＹＥＳ）、充電制御部１０８は、第１の充電強度でバッテリ４４を充電することを決定すると共に、給電装置２５から当該電子カセッテ２４への給電を許可する給電許可信号を発生する（ステップＳ９）。また、充電強度切替部１１３は、第１の充電強度でのバッテリ４４の充電を充電制御部１０８が決定したときに、給電装置２５からバッテリ４４に第１の充電強度で充電するための第１充電制御信号を発生する。
【００７６】
送受信機４８は、給電装置２５のＩＤ情報、給電許可信号及び第１充電制御信号をコンソール２８の給電情報管理部１２８に送信する。
【００７７】
給電情報管理部１２８は、受信した給電装置２５のＩＤ情報、給電許可信号及び第１充電制御信号を給電装置２５に転送し、給電装置２５の給電制御部８６は、受信した給電許可信号及び第１充電制御信号に基づいて、給電装置２５から電子カセッテ２４への給電を開始して、第１の充電強度にてバッテリ４４を充電する（ステップＳ１０）。第１の充電強度としては、ステップＳ３での無線給電における充電強度（例えば、第２の充電強度）よりも低レベルで、且つ、バッテリ４４に対する充電に起因したノイズが、Ａ／Ｄ変換器７０でＡ／Ｄ変換されたデジタル信号の放射線画像情報に混入しない程度の充電強度とする。これにより、特にノイズの影響を受け易いアナログ信号での放射線画像情報に、給電装置２５からの無線送電に起因したノイズが混入することを防止することができるので、高品質な放射線画像情報を取得することが可能になる。また、アナログ信号ほどではないが、多少はノイズの影響を受けると考えられるデジタル信号の放射線画像情報に、無線給電に起因したノイズが混入することを回避することができる。
【００７８】
なお、ステップＳ８において、Ａ／Ｄ変換がまだ終了していないとＡ／Ｄ変換終了判定部１０７が判定した場合に（ステップＳ８のＮＯ）、充電制御部１０８は、ステップＳ９の処理を行わない。
【００７９】
次に、ステップＳ１１において、情報伝送終了判定部１１１は、Ａ／Ｄ変換器７０から画像メモリ１００へのデジタル信号の放射線画像情報の転送が終了したか否かを判定し、Ａ／Ｄ変換器７０から画像メモリ１００への放射線画像情報の転送が終了したと判定した場合に（ステップＳ１１のＹＥＳ）、充電制御部１０８は、第１の充電強度よりも高い第２の充電強度（例えば、ステップＳ３の無線給電における高出力運転での充電強度）でバッテリ４４を充電することを決定する。充電強度切替部１１３は、第２の充電強度でのバッテリ４４の充電を充電制御部１０８が決定したときに、給電装置２５からバッテリ４４に第２の充電強度で充電するための第２充電制御信号を発生する。
【００８０】
送受信機４８は、給電装置２５のＩＤ情報及び第２充電制御信号をコンソール２８の給電情報管理部１２８に送信する。
【００８１】
給電情報管理部１２８は、受信した給電装置２５のＩＤ情報及び第２充電制御信号を給電装置２５に転送し、給電装置２５の給電制御部８６は、受信した第２充電制御信号に基づいて、給電装置２５から電子カセッテ２４へ給電中の充電強度を、第１の充電強度から第２の充電強度に切り替えてバッテリ４４を充電する（ステップＳ１２）。
【００８２】
なお、ステップＳ１１において、Ａ／Ｄ変換器７０から画像メモリ１００への放射線画像情報の転送がまだ終了していないと情報伝送終了判定部１１１が判定した場合に（ステップＳ１１のＮＯ）、充電制御部１０８は、ステップＳ１２の処理を行わない。
【００８３】
画像メモリ１００に記憶された放射線画像情報は、無線通信によってコンソール２８へと送信される。コンソール２８に送信された放射線画像情報は、画像処理部１２０において所定の画像処理が施された後、患者情報管理部１２４に登録されている患者１４の患者情報と関連付けられた状態で画像メモリ１２２に記憶される。
【００８４】
画像処理の施された放射線画像情報は、コンソール２８から表示装置２６へと送信される。放射線画像情報を受信した表示装置２６は、表示制御部１１２によって表示部１１４を制御しつつ画像表示処理を行い、放射線画像を表示する。このため、医師１８は、表示部１１４に表示された放射線画像を確認しながら手術を遂行することができる。
【００８５】
このような撮影システム１０では、例えば、手術中に放射線画像撮影が行われ、電子カセッテ２４のバッテリ４４の残量が不足した場合であっても、給電装置２５により電子カセッテ２４への非接触給電（無線給電）ができるため、電子カセッテ２４を所定の撮影位置に設置した状態のまま適宜充電を行うことができる。
【００８６】
なお、上述した図６のフローチャートに示す動作に代えて、情報伝送終了判定部１１１は、画像メモリ１００へのデジタル信号の放射線画像情報の保存が終了したか否かを判定し、充電制御部１０８は、画像メモリ１００へのデジタル信号の放射線画像情報の保存が終了したと情報伝送終了判定部１１１が判定したときに、第２の充電強度でバッテリ４４を充電することを決定してもよい。これにより、Ａ／Ｄ変換時ほどではないが、多少はノイズの影響を受けると考えられる画像メモリ１００へのデータ保存時に、非接触給電（無線給電）によるノイズの影響が及ぶことを有効に避けることができ、データ化け等の惹起を防止することができる。
【００８７】
また、情報伝送終了判定部１１１は、画像メモリ１００から送受信機４８、１１６を介したコンソール２８へのデジタル信号の放射線画像情報の送信が終了したか否かを判定し、充電制御部１０８は、コンソール２８へのデジタル信号の放射線画像情報の送信が終了したと情報伝送終了判定部１１１が判定したときに、第２の充電強度でバッテリ４４を充電することを決定してもよい。これにより、非接触給電（無線給電）によるノイズの影響を一層確実に回避するように制御することができる。
【００８８】
このように、撮影システム１０では、撮影前から給電禁止制御を実施した場合であっても（ステップＳ５）、ノイズの影響が比較的少ないＡ／Ｄ変換終了後には、迅速にバッテリ４４への給電を開始（再開）することができる（ステップＳ１０）。このため、例えば、撮影で使用されてバッテリ４４の残量が大幅に減り、次回の撮影前に迅速に充電をしておきたい場合等に、特に有効である。なお、上記したステップＳ１〜Ｓ１２による撮影や給電が終了した後、再び撮影を行う予定がある場合等には、ステップＳ１２の終了後、ステップＳ１等の各手順へと戻ればよい。
【００８９】
また、このような撮影システム１０では、バッテリ４４への充電は、コンソール２８の制御下に、撮影時以外に適宜行うように構成してもよいことは言うまでもない。
【００９０】
さらに、上記の動作説明では、撮影枚数が１枚の場合における撮影システム１０の動作について説明したが、複数の撮影枚数である場合には、図７のフローチャートに示すように、放射線Ｘの照射及び検出した放射線画像情報のＡ／Ｄ変換は、予め設定された所定枚数の撮影（所定回数の曝射）が終了するまで行われ（ステップＳ１３）、所定枚数の撮影が終了した場合に（ステップＳ１３のＹＥＳ）、ステップＳ８の判定処理が行われる。
【００９１】
以上のように、第１の実施形態に係る撮影システム１０では、患者１４に対する撮影の有無、及び／又は、放射線検出器４０からの放射線画像情報の伝送の有無に基づいて、給電装置２５からバッテリ４４への充電を制御するので、バッテリ４４への充電に起因したノイズの混入を回避して高精度な放射線画像情報を得ると共に、放射線画像情報に影響を与えることなく、バッテリ４４に対する充電を効率よく行なうことができる。
【００９２】
具体的には、放射線画像情報に対するＡ／Ｄ変換が終了したときに、バッテリ４４に対して第１の充電強度で充電するように給電装置２５を制御し、その後、Ａ／Ｄ変換器７０から画像メモリ１００への放射線画像情報の転送、画像メモリ１００への放射線画像情報の保存、又は、画像メモリ１００からコンソール２８への放射線画像情報の出力のうち、いずれか１つが終了したときに、第１の充電強度よりも高い第２の充電強度でバッテリ４４を充電するように給電装置２５を制御する。すなわち、この実施形態では、複数段階の充電強度（第１の充電強度及び第２の充電強度）を持ち、電子カセッテ２４の動作に合わせて、充電強度の最適化を図っている。
【００９３】
これにより、Ａ／Ｄ変換が終了するまでは給電装置２５からバッテリ４４への充電は行なわれず、Ａ／Ｄ変換の終了後に、給電装置２５からバッテリ４４への充電が開始されるので、ノイズの影響を受け易いアナログ信号の放射線画像情報をデジタル信号に変換するＡ／Ｄ変換中に、前記充電に起因したノイズが当該放射線画像情報に混入することを回避することができ、高精度な放射線画像情報を得ることが可能となる。
【００９４】
また、ノイズの影響を受けにくいデジタル信号の転送中、保存中、又は、送信中は、低レベルの充電強度（第１の充電強度）でバッテリ４４が充電され、一方で、前記転送、前記保存又は前記送信の終了後は、高レベルの充電強度（第２の充電強度）でバッテリ４４が充電されるので、前記転送中、前記保存中、又は、前記送信中におけるノイズのデジタル信号への混入が抑制され、前記デジタル信号の放射線画像情報に影響を与えることなく、バッテリ４４に対する充電を効率よく行なうことができる。
【００９５】
この場合、充電制御部１０８は、Ａ／Ｄ変換が終了したとＡ／Ｄ変換終了判定部１０７が判定したときに、給電装置２５からバッテリ４４への充電を許可する充電許可信号を発生する。また、充電強度切替部１１３は、第１の充電強度でのバッテリ４４の充電を充電制御部１０８が決定したときに、給電装置２５からバッテリ４４に第１の充電強度で充電するための第１充電制御信号を発生し、一方で、第２の充電強度でのバッテリ４４の充電を充電制御部１０８が決定したときに、給電装置２５からバッテリ４４に第２の充電強度で充電するための第２充電制御信号を発生する。
【００９６】
さらに、充電制御部１０８は、患者１４に対する放射線Ｘの照射開始を通知する撮影開始信号を送受信機４８が受信したときに、給電装置２５からバッテリ４４への充電を禁止する充電禁止信号を発生する。また、撮影制御部１０９は、送受信機４８が撮影開始信号を受信したときに、放射線Ｘの照射を許可する撮影許可信号を発生する。
【００９７】
そして、送受信機４８は、撮影開始信号を受信する一方で、給電許可信号及び第１充電制御信号、第２充電制御信号、給電禁止信号又は撮影許可信号をコンソール２８に送信する。
【００９８】
これにより、バッテリ４４への充電許可及び第１の充電強度での充電や、バッテリ４４への第２の充電強度での充電や、バッテリ４４への充電禁止や、撮影装置２２に対する撮影許可の情報を、電子カセッテ２４からコンソール２８に確実に報知することができると共に、該コンソール２８を介して撮影装置２２、給電装置２５及び表示装置２６にも報知することが可能となる。この結果、前記ノイズの放射線画像情報への混入を確実に防止することができると共に、バッテリ４４に対する充電を一層効率よく行なうことができる。
【００９９】
さらに、給電装置２５は、非接触（無線）により電子カセッテ２４のバッテリ４４に給電するので、該電子カセッテ２４を患者１４に対して所望の撮影位置に設置した状態であっても、給電装置２５によって当該電子カセッテ２４への給電を容易に行うことができる。このため、手術中に電子カセッテ２４のバッテリ４４への充電が必要となった場合であっても、当該電子カセッテ２４を移動等させることなく充電を行うことができ、当該電子カセッテ２４及び撮影システム１０全体の取り扱い性を向上させることができる。さらに、電子カセッテ２４のバッテリ４４の残量不足による撮影及び手術の中断・延長を有効に回避することができる。
【０１００】
また、撮影システム１０（電子カセッテ２４）では、撮影許可信号が発せられると給電禁止信号が発せられると共に、Ａ／Ｄ変換が終了すると給電許可信号が発せられる。従って、少なくとも、撮影の開始から放射線検出器４０で検出された放射線画像情報のデジタル信号への変換が完了するまでの時間帯では、非接触給電（無線給電）が禁止されるため、特にノイズの影響を受け易いアナログ信号での放射線画像情報に、給電装置２５からの無線送電に起因したノイズが影響を及ぼすことを防止して、高品質な放射線画像の取得が可能になる。
【０１０１】
さらに、前記ノイズの影響を比較的受けにくいＡ／Ｄ変換終了後には、充電制御部１０８からの給電許可信号の発生により迅速に給電を開始（再開）できることから、例えば、撮影で使用されてバッテリ４４の残量が大幅に減った場合であっても、撮影終了後に迅速に充電を行い、次の撮影に備えることができる。
【０１０２】
撮影システム１０では、対応する給電装置２５の給電可能エリア内に電子カセッテ２４が配置されると、コンソール２８を介して自動的に電子カセッテ２４と給電装置２５との間での情報の送受信が行われ、電子カセッテ２４が撮影可能な状態に駆動制御される。従って、電子カセッテ２４に手動の電源スイッチ等を設けることを省略することができ、操作スイッチの操作忘れ等による撮影ミスの発生を防止することができる。このため、電子カセッテ２４及び撮影システム１０の取り扱い性を一層向上させることができる。この場合、電子カセッテ２４のエネルギ検出部９６で所望の磁場Ｍが検出されないときには、例えば、給電装置２５からバッテリ４４への給電が行えないことを示す無線給電不能信号をデータ管理部１０６からカセッテ情報管理部１２６に送信し、さらに、前記の無線給電不能信号を表示装置２６へと送信することにより、表示部１１４にて医師等にその旨を通知することができる。
【０１０３】
なお、第１の実施形態に係る撮影システム１０は、上述した説明に限定されることはなく、次のような構成に変更することも可能である。
【０１０４】
運転管理部１０２に、Ａ／Ｄ変換終了判定部１０７及び情報伝送終了判定部１１１に代えて、患者１４に対する撮影の有無、及び／又は、放射線検出器４０からの放射線画像情報の伝送の有無を判定する判定手段を設け、充電制御部１０８は、前記判定手段の判定結果に基づいて、給電装置２５からバッテリ４４への充電を制御してもよい。
【０１０５】
この場合、充電制御部１０８は、患者１４に対する撮影中と前記判定手段が判定したときに給電装置２５からバッテリ４４への充電を禁止し、及び／又は、放射線検出器４０から放射線画像情報が伝送中と前記判定手段が判定したときに給電装置２５からバッテリ４４への充電を（第１の充電強度に）制限する。
【０１０６】
このような構成を採用しても、上述した各効果が容易に得られる。
【０１０７】
また、他の構成として、充電強度切替部１１３は、第１の充電強度でのバッテリ４４の充電を充電制御部１０８が決定したときに、Ａ／Ｄ変換が終了したとの判定結果を電子カセッテ２４からコンソール２８に送信するようにＡ／Ｄ変換終了判定部１０７を制御する。また、充電強度切替部１１３は、第２の充電強度でのバッテリ４４の充電を充電制御部１０８が決定したときに、Ａ／Ｄ変換器７０から画像メモリ１００への放射線画像情報の転送、画像メモリ１００への放射線画像情報の保存、又は、画像メモリ１００からコンソール２８への放射線画像情報の送信のうち、いずれか１つが終了したとの判定結果を出力するように情報伝送終了判定部１１１を制御する。
【０１０８】
これらの判定結果は、第１充電制御信号又は第２充電制御信号に対応する判定結果であるため、コンソール２８等は、これらの判定結果を受信することにより、第１の充電強度又は第２の充電強度でのバッテリ４４の充電が必要と容易に判断することができる。
【０１０９】
また、充電制御部１０８は、患者１４に対する放射線Ｘの照射に同期して、給電装置２５からバッテリ４４への充電を禁止する充電禁止信号を発生してもよい。この場合でも、充電禁止信号を発生したことによる効果が容易に得られる。
【０１１０】
図８は、本発明の第２の実施形態に係る放射線画像撮影システム１０ａのブロック説明図である。
【０１１１】
第２の実施形態に係る撮影システム１０ａは、コンソール２８にＲＩＳ２９及びＨＩＳ３３が接続されていない以外は基本的に上記第１の実施形態に係る撮影システム１０（図４及び図５参照）と同様であるが、ＲＩＳ２９やＨＩＳ３３が接続されないシステム、例えば、ＲＩＳ２９等を所有しない病院や回診用の撮影システム等に好適に用いられる。
【０１１２】
なお、この撮影システム１０ａにおいて、第１の実施形態に係る撮影システム１０と同じ構成要素については、同じ参照符号を付けて、その詳細な説明を省略し、以下同様とする。
【０１１３】
この撮影システム１０ａの撮影手順は、図９に示すように、図７に示すステップＳ１３の代わりに、ステップＳ１４を実行する点以外は、図７に示す撮影システム１０の撮影手順と同様である。
【０１１４】
撮影システム１０ａでは、ＲＩＳ２９が接続されていないことから、撮影枚数（撮影回数、曝射回数）に関するオーダ情報を取得することができない。そこで、ステップＳ１４において、撮影装置２２による放射線Ｘの照射が終了したか否か、例えば、撮影スイッチ７２がＯＦＦとされたか否かを判定する。すなわち、放射線Ｘの照射が終了したと判定された場合には（ステップＳ１４のＹＥＳ）、例えば、コンソール２８の制御下に、撮影スイッチ７２がＯＦＦされた情報が充電制御部１０８に供給される。その後、ステップＳ８の判定処理が行われる。
【０１１５】
このように、当該撮影システム１０ａでは、放射線Ｘの照射が終了し（ステップＳ１４のＹＥＳ）、且つ、Ａ／Ｄ変換が終了した（ステップＳ８のＹＥＳ）と判定された場合に、ステップＳ９において、充電制御部１０８から給電許可信号が発せられる。これにより、所望の撮影枚数の情報がＲＩＳ２９経由で得られない場合であっても、放射線Ｘの照射の停止、例えば、撮影スイッチ７２のＯＦＦにより所望の撮影枚数の終了を判断することができ、アナログ信号の放射線画像情報に給電装置２５からの無線送電に起因したノイズが影響を及ぼすことを防止することができる。
【０１１６】
また、この撮影システム１０ａにおいても、電子カセッテ２４が運転管理部１０２を有することにより、第１の実施形態に係る撮影システム１０と同様の効果を得ることができる。
【０１１７】
図１０及び図１１は、図４に示す放射線画像撮影システム１０の第１の変形例に係る放射線画像撮影システム１０ｂのブロック説明図である。
【０１１８】
撮影システム１０ｂは、Ａ／Ｄ変換終了判定部１０７ａ、充電制御部１０８ａ、撮影制御部１０９ａ、情報伝送終了判定部１１１ａ及び充電強度切替部１１３ａをコンソール２８に設けた点で、上記した撮影システム１０、１０ａ（図４、図５及び図８参照）とは異なる。
【０１１９】
撮影システム１０ｂにおいて、Ａ／Ｄ変換終了判定部１０７ａ、充電制御部１０８ａ、撮影制御部１０９ａ、情報伝送終了判定部１１１ａ及び充電強度切替部１１３ａは、図６等に示される撮影手順に基づく動作をコンソール２８側で実施する。なお、電子カセッテ２４に設けられたＡ／Ｄ変換終了判定部１０７、充電制御部１０８、撮影制御部１０９、情報伝送終了判定部１１１及び充電強度切替部１１３については、コンソール２８の制御下に、その機能を使用しないように設定しておけばよい。勿論、撮影システム１０ｂでは、Ａ／Ｄ変換終了判定部１０７、充電制御部１０８、撮影制御部１０９、情報伝送終了判定部１１１及び充電強度切替部１１３を省略した、簡易型の電子カセッテを用いることもできる。
【０１２０】
また、図１０及び図１１に示すように、撮影システム１０ｂでは、Ａ／Ｄ変換終了判定部１０７ａ、充電制御部１０８ａ、撮影制御部１０９ａ、情報伝送終了判定部１１１ａ及び充電強度切替部１１３ａに加えて、又は代えて、撮影装置２２にＡ／Ｄ変換終了判定部１０７ｂ、充電制御部１０８ｂ、撮影制御部１０９ｂ、情報伝送終了判定部１１１ｂ及び充電強度切替部１１３ｂを設け、給電装置２５にＡ／Ｄ変換終了判定部１０７ｃ、充電制御部１０８ｃ、撮影制御部１０９ｃ、情報伝送終了判定部１１１ｃ及び充電強度切替部１１３ｃを設けてもよい。すなわち、Ａ／Ｄ変換終了判定部、充電制御部、撮影制御部、情報伝送終了判定部及び充電強度切替部は、コンソール２８、撮影装置２２、給電装置２５及び電子カセッテ２４のうち、少なくともいずれか１つにまとめて設けられていれば、上記撮影システム１０、１０ａと同様な動作を行うことができ、当然、別途専用のコンソール等を設置してもよい。複数の機器にＡ／Ｄ変換終了判定部、充電制御部、撮影制御部、情報伝送終了判定部及び充電強度切替部が設けられている場合には、例えば、コンソール２８の制御下に任意の機器に搭載されたＡ／Ｄ変換終了判定部、充電制御部、撮影制御部、情報伝送終了判定部及び充電強度切替部を選択的に使用するように設定し、他の機器のＡ／Ｄ変換終了判定部、充電制御部、撮影制御部、情報伝送終了判定部及び充電強度切替部の機能を使用しないように構成すればよい。
【０１２１】
なお、電子カセッテ２４では、上記のようにＡ／Ｄ変換終了判定部１０７、充電制御部１０８、撮影制御部１０９、情報伝送終了判定部１１１及び充電強度切替部１１３を搭載しているため、例えば、既設の放射線画像撮影システムに対しても、コンソール２８の制御プログラム等を多少変更するだけで、上記の判定処理のような制御機能等を容易に付加することができる利点がある。
【０１２２】
上記した放射線画像撮影システム１０、１０ａ、１０ｂでは、手術中に使用される放射線画像を表示装置２６に表示するものとしたが、手術中以外において通常の放射線画像の撮影のみを行う場合にも適用可能であることは言うまでもない。同様に、電子カセッテ２４は、手術室１２で使用される場合に限られるものではなく、例えば、検診や病院内での回診にも適用することができる。
【０１２３】
また、第１実施形態の説明の冒頭でも述べたように、給電装置２５は、電子カセッテ２４に対して非接触（無線）による給電が可能であればよい。例えば、ＬＣ共振器８４、８８及び検出用ＬＣ共振器９４（磁気共鳴方式）に代えて、それぞれを誘電体で構成すると共に磁場Ｍの代わりに電場を用いるもの（電界共鳴方式）としてもよく、前記のようないわゆる共鳴型の無線給電装置以外のものであってもよい。すなわち、給電装置２５から電子カセッテ２４に供給される電気エネルギを変換した供給エネルギとしては、例えば、光エネルギや熱エネルギ等も適用可能である。
【０１２４】
さらに、放射線画像撮影システム１０、１０ａ、１０ｂでは、例えば、電子カセッテ２４に収容される放射線検出器４０は、入射した放射線Ｘの線量を光電変換層５１によって直接電気信号に変換する直接変換方式の放射線検出器であるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した間接変換方式の放射線検出器を用いてもよい（特許第３４９４６８３号公報参照）。
【０１２５】
さらにまた、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【０１２６】
さらに、例えば、撮影装置２２、給電装置２５、表示装置２６及びコンソール２８間等での信号の送受信を有線通信によって行うこともできる。無線通信ほどではないが、多少はノイズの影響を受けると考えられる有線通信においても、バッテリ４４への充電に起因したノイズの混入を回避することで高精度な放射線画像情報を得ることができる。また、電子カセッテ２４と外部機器との間での無線通信は、通常の電波による通信に代えて、赤外線等を用いた光無線通信で行うようにしてもよい。
【０１２７】
図１２は、電子カセッテ２４の変形例に係る電子カセッテ５００の構成図である。電子カセッテ５００には、ケーシング５０２の放射線照射面側に、撮影領域及び撮影位置の基準となるガイド線５０４が形成される。このガイド線５０４を用いて、電子カセッテ５００に対する被写体（患者１４）の位置決めを行い、また、放射線Ｘの照射範囲を設定することにより、放射線画像情報を適切な撮影領域に記録することができる。
【０１２８】
電子カセッテ５００の撮影領域外の部位には、当該電子カセッテ５００に係る各種情報を表示する表示部５０６を配設する。この表示部５０６には、電子カセッテ５００に記録される患者１４のＩＤ情報、電子カセッテ５００の使用回数、累積曝射線量、電子カセッテ５００に内蔵されているバッテリ４４の充電状態（残容量）、放射線画像情報の撮影条件、患者１４の電子カセッテ５００に対するポジショニング画像等を表示させる。この場合、放射線技師は、例えば、表示部５０６に表示されたＩＤ情報に従って患者１４を確認すると共に、当該電子カセッテ５００が使用可能な状態にあることを事前に確認し、表示されたポジショニング画像に基づいて患者１４の所望の撮影部位を電子カセッテ５００に位置決めして、最適な放射線画像情報の撮影を行うことができる。
【０１２９】
また、電子カセッテ５００に取手部５０８を形成することにより、当該電子カセッテ５００の取扱い、持ち運びが容易になる。
【０１３０】
電子カセッテ５００の側部には、ＡＣアダプタの入力端子５１０と、ＵＳＢ（Ｕｎｉｖｅｒｓａｌ  Ｓｅｒｉａｌ  Ｂｕｓ）端子５１２と、メモリカード５１４を装填するためのカードスロット５１６とを配設すると好適である。
【０１３１】
入力端子５１０は、電子カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該電子カセッテ５００を直ちに使用可能な状態とすることができる。
【０１３２】
ＵＳＢ端子５１２又はカードスロット５１６は、電子カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【０１３３】
手術室１２や病院内の必要な箇所には、図１３に示すように、電子カセッテ２４が装填され、内蔵されるバッテリ４４の充電を行うクレードル５１８を配置すると好適である。この場合、クレードル５１８は、上記の給電装置２５に類似した図示しない非接触の給電装置によるバッテリ４４の充電だけでなく、クレードル５１８の無線通信機能又は有線通信機能を用いて、ＲＩＳ２９、ＨＩＳ３３、コンソール２８等の外部機器との間で必要な情報の送受信を行うようにしてもよい。送受信する情報には、クレードル５１８に装填された電子カセッテ２４に記録された放射線画像情報を含めることができる。
【０１３４】
また、クレードル５１８に表示部５２０を配設し、この表示部５２０に対して、装填された当該電子カセッテ２４の充電状態や、電子カセッテ２４から取得した放射線画像情報を含む必要な情報を表示させるようにしてもよい。
【０１３５】
さらに、複数のクレードル５１８をネットワークに接続し、各クレードル５１８に装填されている電子カセッテ２４の充電状態をネットワークを介して収集し、使用可能な充電状態にある電子カセッテ２４の所在を確認できるように構成することもできる。
【０１３６】
図１４は、図４に示す放射線画像撮影システム１０の第２の変形例に係る放射線画像撮影システム１０ｃの説明図である。
【０１３７】
上記した撮影システム１０等では、照射された放射線Ｘを検出し、放射線画像情報を取得する放射線検出装置として電子カセッテ２４を用いた構成を説明した。これに対して、当該撮影システム１０ｃでは、電子カセッテ２４の代わりに、患者１４が横臥するベッドである撮影台１５０にビルトインされた放射線検出装置１５２を用いて臥位撮影を行う構成を説明する。
【０１３８】
撮影システム１０ｃにおいて、放射線検出装置１５２は上記の電子カセッテ２４と略同様な構成及び構造からなり、放射線検出器４０、バッテリ４４、無線受電部４９、制御部４６ａ及び送受信機４８等を備え、これら各機器が放射線Ｘを透過させる材料で形成された箱状のケーシング１５４内に収納されている。制御部４６ａは、電子カセッテ２４を構成するカセッテ制御部４６と略同様に機能するものであり、Ａ／Ｄ変換終了判定部１０７、充電制御部１０８、撮影制御部１０９、情報伝送終了判定部１１１及び充電強度切替部１１３等を有する。
【０１３９】
また、撮影台１５０の下面には、その長手方向に沿ってレール１５６が設けられており、放射線検出装置１５２は、ケーシング１５４に設けられたスライダ機構（図示せず）により、レール１５６に沿って矢印Ｘ方向（水平方向）の所望の位置に移動可能である。従って、撮影台１５０に横臥した患者１４の所望の撮影部位へと放射線検出装置１５２を容易に移動させることができる。
【０１４０】
以上より、撮影システム１０ｃでは、放射線検出装置１５２を移動可能とする一方、当該放射線検出装置１５２には上記の電子カセッテ２４と略同様にバッテリ４４及び無線受電部４９を内蔵しているため、放射線検出装置１５２への電源ケーブル等が不要である。従って、ケーブル類の影響を受けることなく放射線検出装置１５２を円滑に移動させることができ、取り扱い性を向上させることができる。また、上記の撮影システム１０等と同様に、給電装置２５からバッテリ４４への非接触給電（無線給電）と撮影装置２２による撮影とを適宜制御することができ、品質の高い放射線画像の取得が可能である。
【０１４１】
なお、図１４に示すように、撮影システム１０ｃでは、撮影台１５０の脚部に車輪１５８を設けた構成としてもよい。この場合、撮影台１５０自体を室内の所望の位置に容易に移動可能であり、必要に応じてレール１５６をなくし、放射線検出装置１５２を撮影台１５０に固定した構成とすることもできる。
【０１４２】
図１５は、図４に示す放射線画像撮影システム１０の第３の変形例に係る放射線画像撮影システム１０ｄの説明図である。
【０１４３】
撮影システム１０ｄは、上記の撮影システム１０ｃと同様に電子カセッテ２４を用いず、図示しない床面及び壁面１６０に固定されて起立した支柱１６２に対して着脱自在な放射線検出装置１６４を用いて立位撮影を行うシステムである。
【０１４４】
放射線検出装置１６４は、上記の電子カセッテ２４や放射線検出装置１５２と略同様な構成及び構造からなり、放射線検出器４０、バッテリ４４、無線受電部４９、制御部４６ａ及び送受信機４８等を備え、これら各機器が放射線Ｘを透過させる材料で形成された箱状のケーシング１５４内に収納されている。
【０１４５】
この場合、立位撮影台として機能する放射線検出装置１６４の背面には、鉛直方向に離間した一対のフック部材１６６、１６８が設けられている。一方、支柱１６２の放射線検出装置１６４に対向する側面には装着凹部１７０が形成され、該装着凹部１７０内には、水平方向（患者１４の肩幅方向）に延び、前記フック部材１６６、１６８に対応して鉛直方向に離間した一対のシャフト１７２、１７４が固定されている。また、下方のフック部材１６８は図示しないばね機構により、支軸１７６を支点として上方に揺動可能である（図１５中の２点鎖線参照）。
【０１４６】
従って、フック部材１６８の揺動動作を利用して、フック部材１６６、１６８をシャフト１７２、１７４へと容易に且つ確実に装着可能且つ離脱可能であり、つまり、放射線検出装置１６４を支柱１６２に容易に且つ確実に着脱することができる。さらに、放射線検出装置１６４は、支柱１６２に装着された状態で図示しないスライド機構によって矢印Ｙ方向（鉛直方向）にも移動可能とされている。
【０１４７】
なお、図１５中の参照符号１７８は、ケーシング１５４の両幅方向に固定されたフレームであり、撮影台である放射線検出装置１６４に対して患者１４が所望の撮影姿勢をした際に当該撮影姿勢を維持するために把持する棒部材である。
【０１４８】
以上より、撮影システム１０ｄでは、放射線検出装置１６４を支柱１６２に対して着脱可能且つ移動可能とする一方、当該放射線検出装置１６４には上記の電子カセッテ２４や放射線検出装置１５２と略同様にバッテリ４４及び無線受電部４９を内蔵しているため、電源ケーブル等が不要である。従って、ケーブル類の影響を受けることなく放射線検出装置１６４を容易に移動及び着脱することができる。また、上記の撮影システム１０等と同様に、給電装置２５からバッテリ４４への非接触給電（無線給電）と撮影装置２２による撮影とを適宜制御することができ、品質の高い放射線画像の取得が可能である。
【０１４９】
図１６は、図４、図１０及び図１１に示す放射線画像撮影システム１０、１０ｂの第４の変形例に係る放射線画像撮影システム１０ｅの説明図である。
【０１５０】
この撮影システム１０ｅは、運転管理部１０２にＡ／Ｄ変換終了判定部１０７、撮影制御部１０９及び情報伝送終了判定部１１１が配置され、一方で、撮影装置２２、給電装置２５及びコンソール２８に、充電制御部１０８ａ、１０８ｂ、１０８ｃ及び充電強度切替部１１３ａ、１１３ｂ、１１３ｃがそれぞれ配置されている点で、上記した撮影システム１０、１０ｂ（図４、図１０及び図１１参照）とは異なる。
【０１５１】
なお、図１６では、撮影装置２２、電子カセッテ２４、給電装置２５及びコンソール２８中、運転管理部１０２、Ａ／Ｄ変換終了判定部１０７、撮影制御部１０９、情報伝送終了判定部１１１、充電制御部１０８ａ、１０８ｂ、１０８ｃ及び充電強度切替部１１３ａ、１１３ｂ、１１３ｃ以外の構成要素については、図示を省略している。
【０１５２】
また、撮影装置２２、給電装置２５及びコンソール２８に、充電制御部１０８ａ、１０８ｂ、１０８ｃ及び充電強度切替部１１３ａ、１１３ｂ、１１３ｃがそれぞれ配置されているが、いずれか１つの装置に充電制御部及び充電強度切替部が配置されていればよい。つまり、第４の変形例では、Ａ／Ｄ変換終了判定部、撮影制御部、情報伝送終了判定部、充電制御部及び充電強度切替部が少なくとも２つの装置（撮影装置２２、電子カセッテ２４、給電装置２５及びコンソール２８のうちの２つ）に振り分けられた状態で配置されていれば、図５の運転管理部１０２と同等の機能を発揮することが可能である。従って、第４の変形例は、図１６の例に限定されることはなく、例えば、一方の装置にＡ／Ｄ変換終了判定部、撮影制御部、情報伝送終了判定部及び充電制御部が配置され、他方の装置に充電強度切替部のみが配置される場合も適用可能である。
【０１５３】
そして、図１６の撮影システム１０ｅにおいて、運転管理部１０２内のＡ／Ｄ変換終了判定部１０７、撮影制御部１０９及び情報伝送終了判定部１１１は、電子カセッテ２４の状態（動作モード）を認識して充電制御部１０８ａ、１０８ｂ、１０８ｃに各種の信号として通知し、充電制御部１０８ａ、１０８ｂ、１０８ｃは、通知された動作モード（信号）に基づいて、最適な給電状態（第１の充電強度、第２の充電強度、充電停止）を特定し、充電強度切替部１１３ａ、１１３ｂ、１１３ｃは、前記最適な給電状態に応じた制御信号を生成する。
【０１５４】
第４の変形例に係る撮影システム１０ｅにおいても、第１の実施形態に係る撮影システム１０及び第１の変形例に係る撮影システム１０ｂと同様の効果を得ることができる。
【０１５５】
図１７は、図４に示す放射線画像撮影システム１０の第５の変形例に係る放射線画像撮影システム１０ｆの説明図である。
【０１５６】
この撮影システム１０ｆは、給電装置２５の給電制御部８６が相互インダクタンス検出部２００を有し、無線受電部４９がリレー２０２を有する点で、第１実施形態に係る撮影システム１０（図４及び図５参照）とは異なる。なお、図１７においても、給電装置２５のＬＣ共振器８４及び給電制御部８６と、電子カセッテ２４のバッテリ４４及び無線受電部４９以外の構成要素については、図示を省略している。
【０１５７】
一例として、給電装置２５のＬＣ共振器８４は、コイル２０４とコンデンサ２０６とが並列接続されたＬＣ並列共振回路から構成され、一方で、電子カセッテ２４のＬＣ共振器８８又は検出用ＬＣ共振器９４は、コイル２０８とコンデンサ２１０とが並列接続されたＬＣ並列共振回路から構成されるものとする。また、リレー２０２は、充電制御部１０８から信号（電流）が供給される操作コイル２１２と、前記電流に基づく操作コイル２１２の励磁に起因してオン又はオフする有接点のスイッチ２１４とから構成されるものとする。なお、スイッチ２１４の一端は、コイル２０８及びコンデンサ２１０と接続され、他端は、充電回路９０に接続されている。
【０１５８】
ここで、充電制御部１０８がバッテリ４４への充電（第１の充電強度又は第２の充電強度による充電）を決定して、操作コイル２１２に電流を流すと、操作コイル２１２は、前記電流に基づく磁束を発生して、図示しない電磁石を磁化する。これにより、スイッチ２１４を構成する鉄片が前記電磁石側に吸引され、オフからオンに切り替わる。この結果、給電装置２５からバッテリ４４への非接触給電（第１の充電強度又は第２の充電強度による充電）が可能となる。
【０１５９】
一方、非接触給電が行われているときに、ＬＣ共振器８４のコイル２０４と、ＬＣ共振器８８又は検出用ＬＣ共振器９４のコイル２０８とは、相互インダクタンスｍｉで磁気結合している。
【０１６０】
この状態において、充電制御部１０８がバッテリ４４に対する充電の停止（禁止）を決定し、操作コイル２１２への通電を停止すると、操作コイル２１２による磁束の発生が停止する。これにより、前記鉄片は、前記電磁石から離間し、スイッチ２１４は、オンからオフに切り替わる。この結果、コイル２０８と充電回路９０及びバッテリ４４との電気的接続が遮断され、コイル２０４とコイル２０８との間の相互インダクタンスｍｉが急変する。
【０１６１】
相互インダクタンス検出部２００は、コイル２０４に流れる電流を検出しており、前記電流の大きさが時間的に急変したときには、スイッチ２１４のオンからオフへの切り替えに起因して相互インダクタンスｍｉが急変したものと判断する。
【０１６２】
給電制御部８６は、相互インダクタンス検出部２００が相互インダクタンスｍｉの急変を検出したときに、充電制御部１０８がバッテリ４４に対する充電の停止（禁止）を決定したものと判断し、ＬＣ共振器８４に対する電気エネルギ（高周波電力）の供給を停止する。
【０１６３】
第５の変形例に係る撮影システム１０ｆでは、給電装置２５は、何らかの原因で給電禁止信号が供給されない場合であっても、相互インダクタンス検出部２００による相互インダクタンスｍｉの時間的な急変の検出に基づいて、非接触給電を停止することができるので、バッテリ４４に対する給電制御を正確に且つ確実に行うことが可能となる。すなわち、給電装置２５は、充電制御部１０８からの給電禁止信号の供給がなくても、バッテリ４４への給電を禁止すべきか否かを自己判断することができる。
【０１６４】
なお、上記の説明では、バッテリ４４が十分な残量を有していると判断されたときに、撮影許可信号及び給電禁止信号が発せられ、撮影開始に起因した充電禁止制御が行われる。バッテリ４４が十分な残量を有している場合には、このような充電禁止制御に代替して、電子カセッテ２４の側面に設けられ、医師１８や技師が操作する図示しない電源スイッチの投入を撮影開始とみなし、撮影許可信号及び給電禁止信号を発することにより、充電の禁止制御を行ってもよい。
【０１６５】
以上のように、本実施形態に係る撮影システム１０、１０ａ〜１０ｆでは、放射線検出装置である電子カセッテ２４や放射線検出装置１５２、１６４が移動可能であるが、これらが所望の撮影位置に設定された場合であっても、給電装置２５によって当該電子カセッテ２４への非接触給電を容易に行うことができる。しかも、Ａ／Ｄ変換終了判定部、充電制御部、撮影制御部、情報伝送終了判定部及び充電強度切替部を備えていることから、少なくとも検出された放射線画像情報のＡ／Ｄ変換が終了するまでは非接触（無線）による給電が実施されることがない。このため、当該無線送電に起因したノイズによる影響を回避して高品質な画像を撮影及び取得可能である一方、非撮影中（撮影終了）には迅速な充電を行うことができる。
【０１６６】
なお、本発明は、上記の各実施形態に限らず、本発明の要旨を逸脱することなく、種々の構成を採り得ることは勿論である。
【符号の説明】
【０１６７】
１０、１０ａ〜１０ｆ…放射線画像撮影システム
２２…撮影装置
２４、５００…電子カセッテ
２５…給電装置
２６…表示装置
２８…コンソール
４０…放射線検出器
４４…バッテリ
４６…カセッテ制御部
４６ａ…制御部
４９…無線受電部
７０…Ａ／Ｄ変換器
７２…撮影スイッチ
１０７、１０７ａ〜１０７ｃ…Ａ／Ｄ変換終了判定部
１０８、１０８ａ〜１０８ｃ…充電制御部
１０９、１０９ａ〜１０９ｃ…撮影制御部
１１１、１１１ａ〜１１１ｃ…情報伝送終了判定部
１１３、１１３ａ〜１１３ｃ…充電強度切替部
１５２、１６４…放射線検出装置
【図１】
2010170102.tif 000003
【図２】
2010170102.tif 000004
【図３】
2010170102.tif 000005
【図４】
2010170102.tif 000006
【図５】
2010170102.tif 000007
【図６】
2010170102.tif 000008
【図７】
2010170102.tif 000009
【図８】
2010170102.tif 000010
【図９】
2010170102.tif 000011
【図１０】
2010170102.tif 000012
【図１１】
2010170102.tif 000013
【図１２】
2010170102.tif 000014
【図１３】
2010170102.tif 000015
【図１４】
2010170102.tif 000016
【図１５】
2010170102.tif 000017
【図１６】
2010170102.tif 000018
【図１７】
2010170102.tif 000019